(57)【要約】【課題】内部構造が視認可能であって、且つトルソーからのずり下がりを防止できる展示用の男性用下着を提供する。【解決手段】トルソー１０に着用される男性用下着１はパンツ本体５を備える。パンツ本体５の前部５１は窓部６と、該窓部６を覆う前布部８を備え、後部５２は係合部１２と、ベルト部材１５，１６を備える。帯部材１１の一端部１１Ａは前布部８の先端部に固定され、他端部１１Ｂには係合部１２に着脱自在な被係合部１１Ｃが設けられる。ベルト部材１５，１６は、各々、後部５２の表面及び裏面に設けられ、パンツ本体５の上部に形成される周縁部７と、係合部１２とを接続する。窓部６を開放させて男性用下着１の内部構造を視認可能とするために、被係合部１１Ｃから係合部１２を離脱させる場合、係合部１２には下側を向く荷重が作用する。係合部１２はベルト部材１５、１６によって上側に引っ張られ、男性用下着１はトルソー１０からずり下がらない。【選択図】図５
0003184734.tif 000002
【実用新案登録請求の範囲】
【請求項１】
男性用のトルソーに着用させる展示用の男性用下着であって、
上部のウエスト開口部、左右のレッグ開口部、及び該レッグ開口部の間の股下部を有する布製のパンツ本体と、
前記ウエスト開口部の周縁を形成し、弾性部材からなる周縁部と、
前記パンツ本体の前部を開口し、前記トルソーのうち陰のう及び陰茎に相当する部分を露出させる窓部と、
該窓部を前側から覆う布製の前布部であって、上端部が前記周縁部の前部に固定され、前記窓部から露出される前記相当する部分を収容可能な袋状底部を有する布製の前布部と、
前記パンツ本体の前記前部の表面と、前記前布部の左右両側の側縁の各々との間で形成され、前記袋状底部内に外気を出入り可能とする通気開口部と、
前記パンツ本体の後部の表面に設けられる面ファスナの係合部と、
一端部は前記前布部の前記股下部側の端部に固定され、他端部は前記係合部と下側から着脱自在に係合可能な被係合部が設けられる帯部材と、
前記パンツ本体の前記後部の前記表面と裏面の少なくとも一方に設けられ、前記係合部と前記周縁部の後部とを接続する帯状のベルト部材と
を備えたことを特徴とする展示用の男性用下着。
【考案の詳細な説明】
【技術分野】
【０００１】
本考案は、展示用の男性用下着に関する。
【背景技術】
【０００２】
従来、パンツ本体の前部に設けた開口部を下側から覆うことができる失禁パンツが知られている。例えば、特許文献１に開示の失禁パンツは、パンツ本体と吸収パッドとを備える。パンツ本体は、ウエスト開口部と、左右一対のレッグ開口部と、股下部とを備える。股下部は、レッグ開口部の間に配置され、前部から後部にわたって開口する股下開口部を有する。吸収パッドは、帯状に形成され、同一面側の一端部及び他端部の各々に、面ファスナの被係合部を備える。各被係合部がパンツ本体上側の前部及び後部の各々に設けられる係合部に係合されることで、股下開口部は下側から開閉可能に覆われる。
【０００３】
上記失禁パンツは、吸収パッドを陰のう及び陰茎を収容可能な前布部に置き換えた場合、男性用のトルソーに着用可能な展示用の男性用下着として機能する。前布部の一端部を係合部から離脱させることで、需要者は男性用下着の内部構造を購入前に視認することができる。
【先行技術文献】
【特許文献】
【０００４】
【特許文献１】特開２００７−２０９７７４号公報
【考案の概要】
【考案が解決しようとする課題】
【０００５】
しかしながら、前布部の一端部又は他端部がパンツ本体の係合部から離脱する場合、係合部には下側を向く荷重が作用する。従って、前布部とパンツ本体との着脱が繰り返されると、次第にパンツ本体がずり下がってしまうという問題点があった。
【０００６】
本考案は、上記課題を解決するためになされたものであり、内部構造が視認可能であって、且つトルソーからのずり下がりを防止できる展示用の男性用下着を提供することを目的とする。
【課題を解決するための手段】
【０００７】
本考案の一態様の展示用の男性用下着は、男性用のトルソーに着用させる展示用の男性用下着であって、上部のウエスト開口部、左右のレッグ開口部、及び該レッグ開口部の間の股下部を有する布製のパンツ本体と、前記ウエスト開口部の周縁を形成し、弾性部材からなる周縁部と、前記パンツ本体の前部を開口し、前記トルソーのうち陰のう及び陰茎に相当する部分を露出させる窓部と、該窓部を前側から覆う布製の前布部であって、上端部が前記周縁部の前部に固定され、前記窓部から露出される前記相当する部分を収容可能な袋状底部を有する布製の前布部と、前記パンツ本体の前記前部の表面と、前記前布部の左右両側の側縁の各々との間で形成され、前記袋状底部内に外気を出入り可能とする通気開口部と、前記パンツ本体の後部の表面に設けられる面ファスナの係合部と、一端部は前記前布部の前記股下部側の端部に固定され、他端部は前記係合部と下側から着脱自在に係合可能な被係合部が設けられる帯部材と、前記パンツ本体の前記後部の前記表面と裏面の少なくとも一方に設けられ、前記係合部と前記周縁部の後部とを接続する帯状のベルト部材とを備えたことを特徴とする。
【０００８】
被係合部を係合部から離脱させて帯部材の他端部をパンツ本体の前側に移動させることで、前布部はめくれあがり、窓部は開放される。これにより、男性用下着の内部構造が視認可能となる。離脱に伴って係合部に下側を向く荷重が作用しても、ベルト部材が係合部を上側に引っ張るので、係合部はずり下がらない。つまり、帯部材とパンツ本体との着脱が繰り返される場合であっても、パンツ本体はずり下がらない。故に、展示用の男性用下着は、内部構造が視認可能であって、且つトルソーからのずり下がりを防止できる。
【図面の簡単な説明】
【０００９】
【図１】男性用下着１を左前斜め上方からみた斜視図である。
【図２】窓部６を開放した男性用下着１を左前斜め上方から見た斜視図である。
【図３】男性用下着１の底面図である。
【図４】男性用下着１を右後斜め上方からみた斜視図である。
【図５】男性用下着１の中央部の縦断面図である。
【図６】変形例に係る男性用下着９の中央部の縦断面図である。
【考案を実施するための形態】
【００１０】
以下、本考案の一実施の形態である展示用の男性用下着１を図面を参照して説明する。なお、以下の説明では、図１における上側、下側、右下側、左上側、右上側、及び左下側をそれぞれ、男性用下着１の上側、下側、前側、後側、右側、及び左側とする。
【００１１】
図１から図５を参照し、男性用下着１の構成について説明する。図１及び図２に示すように、男性用下着１は、男性用のパンツトルソーであるトルソー１０に着用させて、店舗等の展示に用いられる。トルソー１０は、男性の腹部から大腿部に相当する部分が形成される。後述するように、男性用下着１は前側が開閉可能な構成となっており、店舗等に訪れる需要者が購入前に男性用下着１の内部構造を視認できる。
【００１２】
男性用下着１は、トルソー１０の腰部にフィットさせるために上部に配されるウエスト開口部２と、トルソー１０の脚部を通すために左右に配されるレッグ開口部３，３と、このレッグ開口部３，３の間に配される股下部４（図３参照）とを有するパンツ本体５から構成される。このパンツ本体５の材質としては伸縮性を有する綿、絹、ウール、あるいは合成繊維などの布があげられる。
【００１３】
ウエスト開口部２には周縁を形成する周縁部７が設けられる。この周縁部７は、パンツ本体５の最上部に設けられる。この周縁部７は弾性部材から構成されており、一例として、ゴム状部材があげられる。この周縁部７は、トルソー１０の腰部に着用されて周長が増すことで発生する弾性力がトルソー１０に向かって作用するため、腰部にフィットする。故に、周縁部７は男性用下着１のトルソー１０からのずり下がりを防止できる。
【００１４】
図２に示すように、パンツ本体５の前身頃としての前部５１には、窓部６と前布部８とが設けられる。窓部６は、前部５１の下側中央部を開口し、トルソー１０のうち陰のう及び陰茎に相当する部分（以下、「局部相当部２０」という）を外側に露出させる。
【００１５】
前布部８は周縁部７の前側中央部と股下部４（図３参照）との間にわたって配され、窓部６を前側から覆っている（図１参照）。この前布部８は、周縁部７に縫い合わされて固定される上端側を基端側としてめくれ上がることができ、窓部６を開放させることができる。この前布部８は、先端部に向かうにつれて幅が狭くなっており、略三角形状をなす。この前布部８の材質としては、伸縮性を有する綿、絹、ウール、あるいは合成繊維などの布があげられる。この前布部８の先端側には、表面側に向かって緩やかに湾曲する袋状底部８５が配される。この袋状底部８５は、前布部８が窓部６を覆う場合に、局部相当部２０を収容できる（図１、図５参照）。
【００１６】
図１に示すように、窓部６（図２参照）が覆われる場合に、前布部８の左右両側の側縁の各々と、前部５１の表面との間には、一対の通気開口部８１，８１が形成される。通気開口部８１，８１は、左右両側の側縁に沿って、前布部８の上端辺８７から股下部４（図３参照）の前端に亘って各々開口している。この通気開口部８１，８１を介して外気が導入、導出されることにより袋状底部８５の内部の湿度を一定に保つことができる。
【００１７】
図３に示すように、股下部４は、パンツ本体５の下部であって、レッグ開口部３，３の間に配される。この股下部４は、底面視で、左右方向に長い略長方形のマチ４Ａから構成されている。マチ４Ａは、前部５１と縫い合わされる接続部４Ｂと、パンツ本体５の後身頃としての後部５２と縫い合わされる接続部４Ｃとを備える。なお、図３においては、トルソー１０（図１参照）の図示を省略している。
【００１８】
図２及び図３に示すように、前布部８の先端部には、帯部材１１の一端部１１Ａが縫い合わされ固定されている。帯部材１１の他端部１１Ｂには面ファスナの被係合部１１Ｃが設けられる。帯部材１１は、ナイロン等の合成樹脂からなる平ベルトである。被係合部１１Ｃは、後部５２の下側中央部に設けた係合部１２に着脱自在に係合可能である。被係合部１１Ｃ及び係合部１２は、一例として、面ファスナの雄型の係合片又は雌型の係合片の何れか一方ずつである。また、被係合部１１Ｃ及び係合部１２は、各々、雄型の係合片及び雌型の係合片が混在した係合片であってもよい。
【００１９】
帯部材１１は、被係合部１１Ｃが係合部１２に係合する場合、股下部４の中央部を下側から覆いながら前後方向に延びる。これにより前布部８は窓部６を覆う状態を維持できる。
【００２０】
図４に示すように、パンツ本体５の後側を構成する後部５２の表面には、ベルト部材１５が設けられる。ベルト部材１５は上下方向に長い帯状の平ベルトである。ベルト部材１５の材質としてはナイロン等の合成樹脂があげられる。ベルト部材１５の一端部（下端部）は係合部１２の上端１２Ａに接しながら後部５２に縫い合わされ、他端部（上端部）は周縁部７の後部中央に接しながら後部５２に縫い合わされる。つまり、ベルト部材１５は係合部１２と周縁部７とを接続している。なお、ベルト部材１５の左右両側の側縁は、後部５２に縫い合わされていない。
【００２１】
図５に示すように、ベルト部材１５と形状及び材質が同一なベルト部材１６が、後部５２の裏面に設けられる。ベルト部材１６の上端部及び下端部は、後部５２を挟んでベルト部材１５に縫い合わされている。つまり、ベルト部材１６は係合部１２と周縁部７とを接続している。ベルト部材１５，１６は、後部５２を挟んで一対となっている。なお、図５においては、トルソー１０に施すハッチングを省略して図示している。
【００２２】
次に、窓部６を開放させる場合の男性用下着１について説明する。店舗等の販売員は帯部材１１の他端部１１Ｂを摘み、被係合部１１Ｃを係合部１２から下側（矢印Ａ方向）に離脱させる。その後、販売員は、帯部材１１の他端部１１Ｂを股下部４（図３参照）の下方をくぐらせて、周縁部７の前方上側まで移動させる（図２参照）。これにより、前布部８の先端側はめくれ上がる。需要者は、前布部８及び袋状底部８５の内部を視認し、男性用下着１の内部構造を購入前に確認できる。
【００２３】
ここで、本考案に係る男性用下着１の効果について説明する。販売員が被係合部１１Ｃを係合部１２から離脱させる場合、係合部１２には下側（矢印Ｂ方向）に荷重が作用する。この際、係合部１２と周縁部７とを接続するベルト部材１５，１６が、各々、係合部１２を上側（矢印Ｃ方向）に引っ張る。従って、被係合部１１Ｃが離脱する場合であっても、係合部１２はずり下がらない。それ故、帯部材１１とパンツ本体５との着脱が繰り返される場合であっても、パンツ本体５はずり下がらない。以上より、男性用下着１は、内部構造が視認可能であって、且つトルソー１０からのずり下がりを防止できる。
【００２４】
以上、本考案の一実施の形態を説明したが、これらはあくまで例示にすぎず、本考案はこれに限定されるものではない。例えば、係合部１２及びベルト部材１５，１６は、後部５２に縫い合わされる代わりに、接着又は溶着されてもよい。また、ベルト部材１５，１６の形状及び材質は、同一でなくてもよい。
【００２５】
また、男性用下着１は、後部５２の表面及び裏面の各々に、ベルト部材１５，１６を備える代わりに、片方のみを備えていてもよい。例えば、図６に示すように、男性用下着１の変形例に係る男性用下着９は、後部５２の裏面にのみベルト部材１７を備える。ベルト部材１７の下端部は後部５２を介して係合部１２に縫い合わされ、上端部は周縁部７に縫い合わされる。これにより、ベルト部材１７は、係合部１２と周縁部７とを接続する。販売員が被係合部１１Ｃを係合部１２から下側（矢印Ｄ方向）に離脱させ、係合部１２に下側（矢印Ｅ方向）に荷重が作用する場合であっても、ベルト部材１７が係合部１２を上側（矢印Ｆ方向）に引っ張る。従って、帯部材１１とパンツ本体５との着脱が繰り返される場合であっても、男性用下着９はずり下がらない。また男性用下着９がトルソー１０に着用されて展示される場合、ベルト部材１７は後部布５２の裏面に隠れる。従って、男性用下着９は見栄えを向上できる。
【００２６】
また、男性用下着１は、レッグ開口部３，３の各々から下方に延設される円筒状の裾部であって、男性用のトルソーの膝下部近傍を覆う裾部を備えてもよい。この場合、男性用下着（図示外）は、パンツとステテコを兼ね合わせた男性用下着として展示される。この男性用下着は、男性の腹部から膝下部までに相当する部分が形成される男性用のトルソー（図示外）に装着される。
【符号の説明】
【００２７】
１，９      男性用下着
２          ウエスト開口部
３          レッグ開口部
４          股下部
５          パンツ本体
６          窓部
７          周縁部
８          前布部
１０        トルソー
１１        帯部材
１１Ａ      一端部
１１Ｂ      他端部
１１Ｃ      被係合部
１２        係合部
１５，１６，１７  ベルト部材
２０        局部相当部
５１        前部
５２        後部
８１        通気開口部
８５        袋状底部
【図１】
0003184734.tif 000003
【図２】
0003184734.tif 000004
【図３】
0003184734.tif 000005
【図４】
0003184734.tif 000006
【図５】
0003184734.tif 000007
【図６】
0003184734.tif 000008